(57)【要約】【課題】画質調整内容に応じて、調整に影響の少ない位置にＯＳＤを表示させる、ＯＳＤ表示位置決定装置及びＯＳＤ表示位置決定方法を提供する。【解決手段】エリア分割部３は入力画像を所定エリアに分割する。エッジ成分検出部４は入力画像の所定エリア毎において輪郭の量であるエッジ成分を検出する。輝度ヒストグラム検出部５は所定エリア毎に輝度レベルの分布である輝度ヒストグラムを検出する。色成分検出部６は所定エリア毎に色成分を検出する。データ処理部７は画像調整の目的に応じて、検出されたエッジ成分、輝度ヒストグラム及び色成分のうち少なくとも一つの情報を取得し、ＯＳＤ画像の表示に適する度合いである優先順位を判定し、最も優先順位の高いエリアにＯＳＤ画像を表示する。【選択図】図１
2012063583.tif 000002
【特許請求の範囲】
【請求項１】
画像信号を表示画面上の領域に対応する複数のエリアに分割するエリア分割部と、
前記画像信号の、エッジ成分を検出するエッジ成分検出部、輝度ヒストグラムを検出する輝度ヒストグラム検出部、又は各画素の色成分を検出する色成分検出部のうち少なくとも１つの検出部と、
画質調整の内容に応じて、前記エッジ成分検出結果、前記輝度ヒストグラム検出結果及び前記色成分検出結果のうち少なくとも一つの検出結果を元に、分割した前記エリア毎に、ＯＳＤ画像の表示に適する度合いを評価し、前記ＯＳＤ画像の表示に適する度合いが高い順に優先順位を付け、最も優先順位の高いエリアに前記ＯＳＤ画像を表示するよう決定するデータ処理部と、
を有することを特徴とするＯＳＤ表示位置決定装置。
【請求項２】
前記画質調整のための指示の回数をカウントするカウンタ部を更に有し、
前記データ処理部は、所定時間内における前記画質調整のための指示の回数が所定値に満たない場合は、現在ＯＳＤを表示している分割エリアより優先順位の低い分割エリアに前記ＯＳＤ画像を表示するよう決定する
ことを特徴とする請求項１に記載のＯＳＤ表示位置決定装置。
【請求項３】
画像信号を表示画面上の領域に対応する複数のエリアに分割するエリア分割ステップと、
前記画像信号の、エッジ成分を検出するエッジ成分検出部、輝度ヒストグラムを検出する輝度ヒストグラム検出部、又は各画素の色成分を検出する色成分検出部のうち少なくとも１つの検出部が検出を行う検出ステップと、
画質調整の内容に応じて、前記エッジ成分検出結果、前記輝度ヒストグラム検出結果及び前記色成分検出結果のうち少なくとも一つの検出結果を元に、分割した前記エリア毎に、ＯＳＤ画像の表示に適する度合いを評価し、前記ＯＳＤ画像の表示に適する度合いが高い順に優先順位を付け、最も優先順位の高いエリアに前記ＯＳＤ画像を表示するよう決定するデータ処理ステップと、
を有することを特徴とするＯＳＤ表示位置決定方法。
【請求項４】
前記画質調整のための指示の回数をカウントするステップを更に有し、
前記データ処理部は、所定時間内における前記画質調整のための指示の回数が所定値に満たない場合は、現在ＯＳＤを表示している分割エリアより優先順位の低い分割エリアに前記ＯＳＤ画像を表示するよう決定する
ことを特徴とする請求項３に記載のＯＳＤ表示位置決定方法。
【発明の詳細な説明】
【技術分野】
【０００１】
本発明はディスプレイの画質調整時にディスプレイ上に表示するＯＳＤの表示位置を決定する、ＯＳＤ表示位置決定装置及びＯＳＤ表示位置決定方法に関する。
【背景技術】
【０００２】
通常、テレビモニタ等のディスプレイ装置においては、視聴する映像の種類（例えば映画、ゲーム、ドラマ等）や視聴者の好みに合わせて、視聴者が画質調整を行うことができる。また、画質調整の際に調整補助の目的で調整内容や調整度合いを表示する、オンスクリーンディスプレイ（以下、ＯＳＤとする）をディスプレイ上に表示させるものが一般的である。画質調整の際、視聴者は通常、表示されている映像を見ながら調整を行うが、調整の内容によって注意したい映像の部分が異なる。例えばシャープネス調整を行う場合は映像全体の中で、より細かい輪郭描写の多い画像部分に注目して、調整過程におけるその画像の見え方の変化を確認しながら調整すると効果的である。一方、調整用に表示するＯＳＤが調整時に注目したい画像を隠してしまう場合がある。
【０００３】
ＯＳＤ表示位置を改善する技術として特許文献１には、画面上に表示された映像との重なり度を反映した位置にＯＳＤの表示位置を決定する技術が開示されている。特許文献２には画質調整の影響を最も受けにくい領域にＯＳＤ画像を表示させ、画質調整による画質の変化が大きい部分にはＯＳＤ画像を表示しない技術が開示されている。
【先行技術文献】
【特許文献】
【０００４】
【特許文献１】特開２００９−１７１３００号公報
【特許文献２】特開２００９−１１６１９２号公報
【発明の概要】
【発明が解決しようとする課題】
【０００５】
特許文献１で開示された技術は、黒レベル検出とエッジ検出を用いて、画面上に表示された映像に含まれる記号と重ならない位置にＯＳＤを表示することを主な目的としており、画質調整する内容に合わせてＯＳＤ表示位置を変更するものではない。また特許文献２で開示された技術では、調整による画質変化の大きさでＯＳＤ表示領域を決定しているが、画質調整時に確認したい画像は調整による画質変化が大きい領域とは限らず、ユーザの確認したい画像をＯＳＤで隠してしまう場合があるという課題があった。
【課題を解決するための手段】
【０００６】
上記課題を解決するため、本発明は次の（イ）、（ロ）のＯＳＤ表示位置決定装置を提供する。
【０００７】
（イ）画像信号を表示画面上の領域に対応する複数のエリアに分割するエリア分割部（３）と、前記画像信号の、エッジ成分を検出するエッジ成分検出部（４）、輝度ヒストグラムを検出する輝度ヒストグラム検出部（５）、又は各画素の色成分を検出する色成分検出部（６）のうち少なくとも１つの検出部と、画質調整の内容に応じて、前記エッジ成分検出結果、前記輝度ヒストグラム検出結果及び前記色成分検出結果のうち少なくとも一つの検出結果を元に、分割した前記エリア毎に、ＯＳＤ画像の表示に適する度合いを評価し、前記ＯＳＤ画像の表示に適する度合いが高い順に優先順位を付け、最も優先順位の高いエリアに前記ＯＳＤ画像を表示するよう決定するデータ処理部（７）と、を有することを特徴とするＯＳＤ表示位置決定装置。
【０００８】
（ロ）前記画質調整のための指示の回数をカウントするカウンタ部（１２）を更に有し、前記データ処理部は、所定時間内における前記画質調整のための指示の回数が所定値に満たない場合は、現在ＯＳＤを表示している分割エリアより優先順位の低い分割エリアに前記ＯＳＤ画像を表示するよう決定する
ことを特徴とする請求項１に記載のＯＳＤ表示位置決定装置。
【０００９】
また、上記課題を解決するため、本発明は次の（ハ）、（ニ）のＯＳＤ表示位置決定方法を提供する。
【００１０】
（ハ）画像信号を表示画面上の領域に対応する複数のエリアに分割するエリア分割ステップと、前記画像信号の、エッジ成分を検出するエッジ成分検出部、輝度ヒストグラムを検出する輝度ヒストグラム検出部、又は各画素の色成分を検出する色成分検出部のうち少なくとも１つの検出部が検出を行う検出ステップと、画質調整の内容に応じて、前記エッジ成分検出結果、前記輝度ヒストグラム検出結果及び前記色成分検出結果のうち少なくとも一つの検出結果を元に、分割した前記エリア毎に、ＯＳＤ画像の表示に適する度合いを評価し、前記ＯＳＤ画像の表示に適する度合いが高い順に優先順位を付け、最も優先順位の高いエリアに前記ＯＳＤ画像を表示するよう決定するデータ処理ステップと、
を有することを特徴とするＯＳＤ表示位置決定方法。
【００１１】
（ニ）前記画質調整のため為の指示の回数をカウントするステップを更に有し、
前記データ処理部は、所定時間内における前記画質調整のための指示の回数が所定値に満たない場合は、現在ＯＳＤを表示している分割エリアより優先順位の低い分割エリアに前記ＯＳＤ画像を表示するよう決定することを特徴とする請求項３に記載のＯＳＤ表示位置決定方法。
【発明の効果】
【００１２】
本発明のＯＳＤ表示位置決定装置及びＯＳＤ表示位置決定方法によると、ユーザの視聴している映像を参照して画質調整を行う際に、調整内容に合わせてＯＳＤ表示位置を決定し、更に、ユーザが当該表示位置に不満足な場合には自動的にＯＳＤ表示位置を変更することにより、ユーザが望む位置にＯＳＤを表示することができる。
【図面の簡単な説明】
【００１３】
【図１】本発明の実施の形態に係るＯＳＤ表示位置決定装置の構成を示すブロック図である。
【図２】映像表示領域の分割例を示す模式図である。
【図３】画像の分割エリアを示す画面例である。
【図４】画像の分割エリア優先順位を示す画面例である。
【図５】ＯＳＤ表示位置決定装置の動作を示すフローチャートである。
【図６】シャープネス調整時の分割エリア優先順位を示す画面例である。
【図７】画像調整時のＯＳＤ表示位置を示す画面例である。
【図８】画像調整時のＯＳＤ表示位置を示す画面例である。
【図９】色合い調整時の分割エリアを示す画面例である。
【図１０】色合い調整時の分割エリア優先順位を示す画面例である。
【図１１】黒レベル調整時の分割エリアを示す画面例である。
【図１２】黒レベル調整時の分割エリア優先順位を示す画面例である。
【図１３】コントラスト調整時の分割エリアを示す画面例である。
【図１４】コントラスト調整時の分割エリア優先順位を示す画面例である。
【図１５】カラーマネジメント調整時の分割エリアを示す画面例である。
【図１６】カラーマネジメント調整時の分割エリア優先順位を示す画面例である。
【図１７】ホワイトバランス調整時の分割エリアを示す画面例である。
【図１８】ホワイトバランス調整時の分割エリア優先順位を示す画面例である。
【図１９】カラー調整時の分割エリア優先順位を示す画面例である。
【発明を実施するための形態】
【００１４】
次に、図面を参照して、本発明の実施の形態を説明する。以下の図面の記載において、同一又は類似の部分には同一又は類似の符号を付している。ただし、図面は模式的なものである。
【００１５】
（実施の形態）
図１は本発明の実施の形態に係るＯＳＤ表示位置決定装置の構成を示すブロック図である。
【００１６】
ＯＳＤ表示位置決定装置１００は、キャプチャ部１、エリア分割部３、エッジ成分検出部４、輝度ヒストグラム検出部５、色成分検出部６、データ処理部７、ＯＳＤ出力部８、スイッチ部９、指示受信部１０、入力指示解析部１１、コマンドカウンタ部１２、クロックカウンタ部１３および画像合成部１４等を備えている。
【００１７】
キャプチャ部１は、入力映像信号から静止画像信号をキャプチャし、エリア分割部３およびスイッチ部９に送る。
【００１８】
エリア分割部３は、入力映像信号を表示領域に対応した複数のエリアに分割し、エリアを特定できるようにエリア番号を付与する。図２は入力映像信号を４つのエリアに分割した例であり、図３は更にエリア番号を付与した例である。
【００１９】
エッジ成分検出部４は、高周波成分の信号（画素）の総数をカウントし、画像内の輪郭の量を検出する。検出処理には特開2008-92462号公報に記載の公知技術等を用いることができる。
【００２０】
輝度ヒストグラム検出部５は、各画素の輝度信号のレベル値を複数に分割された属性に振り分け、振り分けられた画素数をカウントし、画像内の輝度レベルの分布を検出する。検出処理には特開2006-311167号公報の図５等に記載の公知技術等を用いることができる。
【００２１】
色成分検出部６は、各画素の色差信号のレベル値を見てある特定のレベル内におさまる画素数をカウントし、画像内の特定色の量を検出する。検出処理には特開平4-137989号公報等に記載の公知技術を用いることができる。
【００２２】
尚、検出部４〜６全てを備えている必要は無く、後述する画質調整内容に対応した検出部を必要に応じて備えていればよい。
【００２３】
データ処理部７は、ユーザから画質調整の指示を受けると、エッジ成分検出部４又は、輝度ヒストグラム検出部５又は色成分検出部６より、画質調整の内容に応じて必要な検出結果を取得する。次に取得した検出結果を元に、エリア分割部３により分割されたエリア毎にＯＳＤを表示するのに適した度合いを算出して優先順位付けを行い、更に優先順位を元にＯＳＤ出力部８に対し、分割されたどのエリアにＯＳＤを表示するのか指示を行う。図４は図３の画像に更に、優先順位付けをした例である。図４ではエリア２が優先順位１位となっており、続いてエリア１、エリア４、エリア３の順に優先順位が低くなっている。
【００２４】
ＯＳＤ出力部８は、データ処理部７から指示されたエリアに表示されるようにＯＳＤ画像信号を出力する。スイッチ部９は、画質調整時に表示装置に表示する画像を入力映像信号の画像にするのか、キャプチャ部１でキャプチャした静止画像にするのかを切り換える。画質調整時に自動的にキャプチャ部１からの画像を選択するようにしてもよいし、ユーザの操作によって出力画像を切り換え、調整効果を確認しやすい画像をユーザが選択できる構成にしてもよい。
【００２５】
ＯＳＤ出力部８から出力されるＯＳＤ画像信号は画像合成部１４にて、スイッチ部９から出力される画像信号と合成され、図示しない液晶ディスプレイ等の表示装置へ出力される。
【００２６】
指示受信部１０は、図示しないリモートコントローラ等によるユーザからの指示を受信し、受信した指示信号を入力指示解析部１１に送る。入力指示解析部１１は、指示信号を解析し、対応するコマンドに変換してカウンタ部１２に送る。コマンドカウンタ部１２は入力指示解析部から受け取った指示コマンドをデータ処理部７に送るが、この際、画質調整に関する指示コマンドの回数をカウントする。コマンドカウンタ部１２の指示コマンドカウンタ値はデータ処理部７の指示によりリセットされ、同様にデータ処理部７の指示により指示コマンドカウンタ値の読み出しが行われる。
【００２７】
クロックカウンタ部１３は、内部クロックのカウントを行うことにより所定時間の経過をカウントする。クロックカウンタ部１３のクロックカウント値はデータ処理部７の指示によりリセットされ、同様にデータ処理部７の指示によりクロックカウントする値が設定される。クロックカウント値の設定は予め初期値として決められていても良いし、ユーザにより任意に設定可能としても良い。
【００２８】
データ処理部７はクロックカウンタ部１３によって所定時間の経過を通知されたタイミングでコマンドカウンタ部のコマンドカウント値を読み取る。この時コマンドカウント値が所定値に満たない場合、データ処理部７はＯＳＤ出力部８に対し、現在表示しているエリアの次に優先順位の高いエリアにＯＳＤ表示位置を移動させるように指示する。
【００２９】
次に、ＯＳＤ表示位置決定装置１００の動作について図５のフローチャートを用いて説明する。
【００３０】
（ａ）指示受信部１０がリモートコントローラ等によるユーザからの指示信号を受信すると、入力指示解析部１１はステップＳ１０１で、指示信号を解析する。指示信号が画質調整に関するものであった場合、調整内容を特定し調整内容を示す指示コマンドをカウンタ部１２を経由してデータ処理部７に送る。データ処理部７はキャプチャ部１に対し、入力画像をキャプチャするよう指示し、エリア分割部３はキャプチャした静止画を図２に示すように表示領域に対応する複数のエリアに分割し、図３に示すように各エリアを特定できるようにエリア番号を付ける。
【００３１】
（ｂ）エッジ成分検出部４、輝度ヒストグラム検出部５、色成分検出部６は、分割されたエリア毎に夫々の検出を行う。ステップＳ１０２でデータ処理部はこれら検出部の検出結果から当該調整内容に関係した検出結果を取得する。
【００３２】
（ｃ）ステップＳ１０３にてデータ処理部７は、取得した検出結果に基づいて、分割したエリア毎にＯＳＤ表示に適した度合いである優先順位を決定する。
【００３３】
（ｄ）ステップＳ１０４においてデータ処理部７は優先順位の最も高いエリアにＯＳＤを表示するよう、ＯＳＤ出力部８に指示する。画像合成部１４にて、ＯＳＤ出力部８から出力されたＯＳＤ信号はスイッチ部９から出力された画像に合成され、出力映像信号として図示しない表示装置等に送信される。
【００３４】
（ｅ）ステップＳ１０５にて、データ処理部７はクロックカウンタ部１３のクロックの値（Ｃｔ）を０にリセットし、新たにクロックのカウントを開始させる。同時データ処理部７はカウンタ部１２のコマンドのカウント値（Ｃｃ）を０にリセットし、ユーザからの画質調整に関する指示コマンドの回数のカウントを開始させる。
【００３５】
（ｆ）クロックカウンタ１３がデータ処理部７にクロックカウント値（Ｃｔ）が所定の値になったことを通知すると、データ処理部７はステップＳ１０６にて、コマンドカウンタ部１２のカウント値を確認する。
【００３６】
（ｇ）ステップＳ１０７において、データ処理部７はコマンドカウンタ値が所定値以上か否か判定する。所定値に満たないと判定した場合（Ｓ１０７／ｎｏ）、ユーザがＯＳＤ表示位置に満足していないと判断し、ステップＳ１０８に進む。
【００３７】
（ｈ）ステップＳ１０８にて、データ処理部７は、現在ＯＳＤを表示しているエリアの次に優先順位の高いエリアが有るか否か判定し、有ると判断された場合（Ｓ１０８／ｙｅｓ）、ステップＳ１０９へ進む。
【００３８】
（ｉ）ステップＳ１０９にて、データ処理部７は現在ＯＳＤを表示しているエリアの次に優先順位の高いエリアにＯＳＤ画像を表示するようにＯＳＤ出力部８に指示する。
【００３９】
（ｊ）ステップＳ１０８にて、次に優先順位の高いエリアがないと判定された場合（Ｓ１０８／ｎｏ）、ユーザに画質調整の意思がないと判断し本処理を終了する。
【００４０】
（ｋ）ステップＳ１０７にてコマンドのカウント値（Ｃｃ）が所定回数以上であると判定した場合（Ｓ１０７／ｙｅｓ）、ユーザが現在のＯＳＤ表示位置に満足したと判断し、ステップＳ１１０に進み、ＯＳＤ表示位置が決定され、ユーザが当該調整を終了するまで同じエリアにＯＳＤが表示される。
【００４１】
以上の流れで、ユーザがＯＳＤ表示位置に満足するまでＯＳＤ表示位置を変更し続け、全ての分割エリアに対し順次ＯＳＤの表示を行うので、ユーザの満足する位置にＯＳＤを表示させることができる。
【００４２】
（実施例１）
画質調整内容がシャープネス調整であった場合について以下に説明する。図５のステップＳ１０１にて調整内容がシャープネス調整であると解析された場合、輪郭の強調度合いを調整することが目的と考えられるため、ステップＳ１０２にてデータ処理部７は、エッジ成分検出部４の検出値を用いて、例えば図２に示す画像の、分割したエリア毎にエッジとなる画素数をカウントし、ステップＳ１０３にてそのカウント値が小さいエリアから順にＯＳＤ表示の優先順位が高くなるように優先順位を決定する。尚、細かな輪郭描写が多ければ多いほどエッジとなる画素数のカウンタ値は大きくなる。データ処理部７は、例えば図６に示すように、優先順位の高いエリアから順に右上、左上、右下、左下と判定し、ステップＳ１０４にて、図７に示すように、最も優先順位の高い右上のエリアにＯＳＤを表示する。次にステップＳ１０５以降でユーザの画像調整指示回数を判定し、所定時間経過後にユーザの画像調整指示回数が所定回数に達しない場合、図８に示すように自動的に次に優先順位の高い左上のエリアにＯＳＤ表示が移動され、更に所定時間経過後にユーザの画像調整回数が所定回数に達しない場合、次に優先順位の高い右下のエリア→最も優先順位の低い左下のエリアの順でＯＳＤ表示位置が移動して行く。このように、ユーザの画像調整指示回数が所定回数に達しない場合、全てのエリアに一通りＯＳＤが表示されるまで、ＯＳＤ表示位置が順次移動していく。
【００４３】
（実施例２）
画質調整内容が色合い調整であった場合について以下に説明する。図５のステップＳ１０１にて調整内容が色合い調整であると解析された場合、肌色の色合いを調整することが目的と考えられるため、ステップＳ１０２では色成分検出部６の検出値を用いる。データ処理部７は、例えば図９に示す画像の各エリア毎に、肌色（近傍色も含む）のレベルとなっている画素数をカウントし、ステップＳ１０３にてそのカウント値が小さいエリアから順にＯＳＤ表示の優先順位が高くなるように優先順位を決定する。データ処理部７は、例えば図１０に示すように優先順位の高いエリアから順に左上、右上、左下、右下と判定し、ステップＳ１０４にて最も優先順位の高い左上のエリアにＯＳＤを表示する。ステップＳ１０５以降は実施例１と同様である。
【００４４】
（実施例３）
画質調整内容が黒レベル調整であった場合について以下に説明する。図５のステップＳ１０１にて調整内容が黒レベル調整であると解析された場合、暗い側の見え方を調整することが目的と考えられるため、ステップＳ１０２では輝度ヒストグラム検出部５の検出値を用いる。データ処理部７は、例えば図１１に示す画像の各エリア毎に、各画素の輝度レベルを１６分割ほどにヒストグラム化し、暗い側の画素数が少ないエリアから順にＯＳＤ表示の優先度が高くなるように優先順位を決定する。データ処理部７は、例えば図１２のように優先順位の高いエリアから順に右上、左上、左下、右下と判定し、ステップＳ１０４にて最も優先順位の高い右上のエリアにＯＳＤを表示する。ステップＳ１０５以降は実施例１と同様である。
【００４５】
（実施例４）
画質調整内容がコントラスト調整であった場合について以下に説明する。図５のステップＳ１０１にて調整内容がコントラスト調整であると解析された場合、明るい側の見え方の調整が目的と考えられるため、ステップＳ１０２では輝度ヒストグラム検出部５の検出値を用いる。データ処理部７は、例えば図１３に示す画像の各エリア毎に各画素の輝度レベルを１６分割ほどにヒストグラム化して、明るい側の画素数が少ないエリアから順にＯＳＤ表示の優先度が高くなるように優先順位を決定する。ステップＳ１０３にてデータ処理部７は、例えば図１４に示すように優先順位の高いエリアから順に左下、右下、左上、右上と判定し、ステップＳ１０４にて最も優先順位の高い左下のエリアにＯＳＤを表示する。ステップＳ１０５以降は実施例１と同様である。
【００４６】
（実施例５）
画質調整内容がカラーマネジメントを使った青色調整である場合について以下に説明する。図５のステップＳ１０１にて調整内容がカラーマネジメントを使った青色調整であると解析された場合、特定色の色合いを調整することが目的と考えられるため、ステップＳ１０２では色成分検出部６の検出値を用いる。データ処理部７は、例えば図１５に示す画像の各エリアの中で、青色（近傍色含む）のレベルとなっている画素数をカウントし、ステップＳ１０３にて、そのカウント値が小さいエリアから順にＯＳＤ表示の優先順位が高くなるように優先順位を決定する。ステップＳ１０３ではデータ処理部７は、例えば図１６に示すように優先順位の高いエリアから順に左下、右下、右上、左上と判定し、ステップＳ１０４にて最も優先順位の高い左下のエリアにＯＳＤを表示する。ステップＳ１０５以降は実施例１と同様である。
【００４７】
（実施例６）
画質調整内容がホワイトバランス調整の場合について以下に説明する。図５のステップＳ１０１にて調整内容がホワイトバランス調整であると解析された場合、白の色味、また肌色の色合いを調整することが目的と考えられるため、ステップＳ１０２では輝度ヒストグラム検出部５が検出する各分割エリアの輝度ヒストグラム、および色成分検出部６が検出する色成分（肌色と無彩色）の値の組み合わせを用いる。データ処理部７は、例えば図１７に示す画像の各エリア毎に、明るい側の画素数のカウント値、色差信号のレベルがあるレベル以下の画素のカウント値（無彩色である画素を検出）、肌色である画素のカウント値をそれぞれ求め、これらの合計値が小さいエリアから順にＯＳＤ表示の優先順位が高くなるように決定する。ステップＳ１０３にて例えば図１８に示すように優先順位の高いエリアから順に左上、左下、右下、右上と判定し、ステップＳ１０４にて最も優先順位の高い左上のエリアにＯＳＤを表示する。これにより、画像の中で白が少なく、かつ肌色が少ないエリアに優先的にＯＳＤが表示されることとなる。ステップＳ１０５以降は実施例１と同様である。
【００４８】
（実施例７）
画質調整内容がカラー調整の場合について以下に説明する。図５のステップＳ１０１にて調整内容がカラー調整であると解析された場合、肌色を中心とした平坦な部分の色の濃さを調整することが目的と考えられるため、ステップＳ１０２では例えば図１７に示す画像の各エリアにおける、エッジ成分検出部４が検出するエッジ成分、及び色成分検出部６が検出する色成分（肌色と有彩色）の値の組み合わせを用いる。データ処理部７は、高周波成分を持っている画素数のカウントの反転値、色差信号のレベルがあるレベル以上の画素のカウント値（有彩色）、肌色である画素のカウント値をそれぞれ求め、これらの合計値が小さいエリアから順にＯＳＤ表示の優先順位が高くなるように決定する。ステップＳ１０３でデータ処理部７は例えば図１９に示すように、優先順位の高いエリアから順に右下、左下、右上、左上と判定し、ステップＳ１０４にて最も優先順位の高い右下のエリアにＯＳＤを表示させる。これにより、画像の中でくっきりした輪郭が少なく、かつ色が薄く、肌色が少ないエリアに優先してＯＳＤが表示されることとなる。ステップＳ１０５以降は実施例１と同様である。
【００４９】
尚、上記の実施例において、各検出結果値が同値となるエリアが存在した場合も考慮したアルゴリズムをデータ処理部７の決定アルゴリズムに組み込んでおくことが望ましい。例えば、検出結果が同値であれば最も右下に位置するエリアから優先させる等である。尚、同値となるエリアが存在した場合の決定方法は、自由に変更可能なものとする。
実施例では画像を４分割した例を示したが、分割数はこれに限定されるものではなく、２分割以上であれば良く、例えば９分割や１６分割することが考えられる。
【符号の説明】
【００５０】
１…キャプチャ部
３…エリア分割部
４…エッジ成分検出部
５…輝度ヒストグラム検出部
６…色成分検出部
７…データ処理部
８…ＯＳＤ出力部
９…スイッチ部
１０…指示受信部
１１…入力指示解析部
１２…コマンドカウンタ部
１３…クロックカウンタ部
１４…画像合成部
１００…ＯＳＤ表示位置決定装置
【図１】
2012063583.tif 000003
【図２】
2012063583.tif 000004
【図３】
2012063583.tif 000005
【図４】
2012063583.tif 000006
【図５】
2012063583.tif 000007
【図６】
2012063583.tif 000008
【図７】
2012063583.tif 000009
【図８】
2012063583.tif 000010
【図９】
2012063583.tif 000011
【図１０】
2012063583.tif 000012
【図１１】
2012063583.tif 000013
【図１２】
2012063583.tif 000014
【図１３】
2012063583.tif 000015
【図１４】
2012063583.tif 000016
【図１５】
2012063583.tif 000017
【図１６】
2012063583.tif 000018
【図１７】
2012063583.tif 000019
【図１８】
2012063583.tif 000020
【図１９】
2012063583.tif 000021